(57)【特許請求の範囲】
【請求項１】
基地局であって、
隣接セルからの受信信号の測定結果に基づいて送信される第１情報を無線端末から受信する受信部と、
前記無線端末からの受信信号の測定結果が閾値を超える場合、前記無線端末の送信電力を低減するための第２情報を前記無線端末へ送信する送信部と、を備え、
前記受信部は、前記無線端末が前記第２情報に基づく送信電力の制御を中止するための第３情報を前記無線端末から受信する基地局。
【請求項２】
前記送信部は、前記第１情報の送信が制限される期間を計測するためのタイマ情報を前記無線端末へ送信する請求項１に記載の基地局。
【請求項３】
前記送信部は、他の基地局から干渉制御情報を受信した場合にのみ、前記第２情報を前記無線端末へ送信する請求項１に記載の基地局。
【請求項４】
前記第１情報は、前記隣接セルを示す識別子を含み、
前記送信部は、前記他の基地局が前記隣接セルを管理する場合にのみ、前記第２情報を前記無線端末へ送信する請求項１に記載の基地局。
【請求項５】
無線端末であって、
隣接セルからの受信信号の測定結果に基づいて第１情報を基地局へ送信する送信部と、
前記無線端末の送信電力を低減するための第２情報を前記基地局から受信する受信部と、
前記第２情報に基づいて送信電力を制御する制御部と、を備え、
前記第２情報は、前記基地局における前記無線端末からの受信信号の測定結果が閾値を超える場合に送信される情報であり、
前記送信部は、前記隣接セルからの受信信号の測定結果が閾値未満である場合、第３情報を送信し、
前記第３情報は、前記無線端末が前記第２情報に基づく送信電力の制御を中止するための情報である無線端末。
【請求項６】
前記受信部は、前記第１情報の送信が制限される期間を計測するためのタイマ情報を受信し、
前記送信部は、前記第１情報の送信が制限される期間が満了するまで、前記第１情報の送信を中止する請求項５に記載の無線端末。
【請求項７】
前記制御部は、前記隣接セルからの受信信号の測定結果が閾値未満である場合、前記第２情報に基づく送信電力の制御を中止する請求項５に記載の無線端末。
【請求項８】
無線端末と基地局を有する通信システムであって、
前記無線端末は、隣接セルからの受信信号の測定結果の第１情報を前記基地局へ送信し、
前記基地局は、前記第１情報を前記無線端末から受信したとき、前記測定結果が閾値を超える場合、前記無線端末の送信電力を低減するための第２情報を前記無線端末へ送信し、
前記無線端末は、前記無線端末の送信電力を低減するための前記第２情報を前記基地局から受信したとき、前記第２情報に基づいて送信電力を制御し、
前記基地局は、前記無線端末が前記第２情報に基づく送信電力の制御を中止するための第３情報を前記無線端末から受信する、
通信システム。
【発明の詳細な説明】
【技術分野】
【０００１】
本開示は、基地局及び無線端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セル間干渉を低減するためにＩＣＩＣ（Ｉｎｔｅｒ−ｃｅｌｌ  Ｉｎｔｅｒｆｅｒｅｎｃｅ  Ｃｏｏｒｄｉｎａｔｉｏｎ）技術が導入されている（非特許文献１参照）。ＩＣＩＣ技術では、使用する無線リソースをセル間で協調することにより、セル間干渉を低減する。
【先行技術文献】
【非特許文献】
【０００３】
【非特許文献１】３ＧＰＰ技術仕様書「ＴＳ３６．３００  Ｖ１３．３．０」  ２０１６年４月１日
【発明の概要】
【０００４】
一の実施形態に係る基地局は、隣接セルからの受信信号の測定結果に基づいて送信される第１情報を無線端末から受信する受信部と、前記無線端末からの受信信号の測定結果が閾値を超える場合、前記無線端末の送信電力を低減するための第２情報を前記無線端末へ送信する送信部と、を備える。
【０００５】
一の実施形態に係る無線端末は、隣接セルからの受信信号の測定結果に基づいて第１情報を基地局へ送信する送信部と、前記無線端末の送信電力を低減するための第２情報を前記基地局から受信する受信部と、前記第２情報に基づいて送信電力を制御する制御部と、を備える。前記第２情報は、前記基地局における前記無線端末からの受信信号の測定結果が閾値を超える場合に送信される情報である。
【図面の簡単な説明】
【０００６】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムで使用される無線フレームの構成図である。
【図４】図４は、ＵＥ１００のブロック図である。
【図５】図５は、ｅＮＢ２００のブロック図である。
【図６】図６は、実施形態に係る動作環境を説明するための図である。
【図７】図７は、実施形態に係る動作を説明するためのシーケンス図である。
【図８】図８は、実施形態に係る動作を説明するためのフローチャートである。
【図９】図９は、実施形態の変更例１に係る動作を説明するためのシーケンス図である。
【図１０】図１０は、実施形態の変更例２を説明するためのシーケンス図である。
【発明を実施するための形態】
【０００７】
［実施形態の概要］
今後、セルの小型化に伴って、多数のセルが高密度で配置することが想定される。
【０００８】
セル数の増加により、セル間での協調が複雑になる虞がある。その結果、既存のＩＣＩＣ技術では、セル間干渉を十分に低減できない可能性がある。
【０００９】
一の実施形態に係る基地局は、隣接セルからの受信信号の測定結果に基づいて送信される第１情報を無線端末から受信する受信部と、前記無線端末からの受信信号の測定結果が閾値を超える場合、前記無線端末の送信電力を低減するための第２情報を前記無線端末へ送信する送信部と、を備えてもよい。
【００１０】
前記送信部は、前記第１情報の送信が制限される期間を計測するためのタイマ情報を前記無線端末へ送信してもよい。
【００１１】
前記受信部は、前記無線端末が前記第２情報に基づく送信電力の制御を中止するための第３情報を前記無線端末から受信してもよい。
【００１２】
前記送信部は、他の基地局から干渉制御情報を受信した場合にのみ、前記第２情報を前記無線端末へ送信してもよい。
【００１３】
前記第１情報は、前記隣接セルを示す識別子を含んでもよい。前記送信部は、前記他の基地局が前記隣接セルを管理する場合にのみ、前記第２情報を前記無線端末へ送信してもよい。
【００１４】
一の実施形態に係る無線端末は、隣接セルからの受信信号の測定結果に基づいて第１情報を基地局へ送信する送信部と、前記無線端末の送信電力を低減するための第２情報を前記基地局から受信する受信部と、前記第２情報に基づいて送信電力を制御する制御部と、を備えてもよい。前記第２情報は、前記基地局における前記無線端末からの受信信号の測定結果が閾値を超える場合に送信される情報であってもよい。
【００１５】
前記受信部は、前記第１情報の送信が制限される期間を計測するためのタイマ情報を受信してもよい。前記送信部は、前記第１情報の送信が制限される期間が満了するまで、前記第１情報の送信を中止してもよい。
【００１６】
前記制御部は、前記隣接セルからの受信信号の測定結果が閾値未満である場合、前記第２情報に基づく送信電力の制御を中止してもよい。
【００１７】
前記送信部は、前記隣接セルからの受信信号の測定結果が閾値未満である場合、第３情報を送信してもよい。前記第３情報は、前記無線端末が前記第２情報に基づく送信電力の制御を中止するための情報であってもよい。
【００１８】
［第１実施形態］
（移動通信システム）
実施形態に係る移動通信システムであるＬＴＥシステムについて説明する。図１は、ＬＴＥシステムの構成を示す図である。
【００１９】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２０】
ＵＥ１００は、無線端末に相当する。ＵＥ１００は、移動型の通信装置である。ＵＥ１００は、セル（後述するｅＮＢ２００）と無線通信を行う。ＵＥ１００の構成については後述する。
【００２１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２２】
ｅＮＢ２００は、１又は複数のセルを管理する。ｅＮＢ２００は、ｅＮＢ２００が管理するセルとの接続を確立したＵＥ１００との無線通信を行う。ｅＮＢ２００は、無線リソース管理（ＲＲＭ）機能、ユーザデータ（以下、「データ」と称することがある）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用されてもよい。
【００２３】
ＥＰＣ２０は、コアネットワークに相当する。ＥＰＣ２０は、Ｅ−ＵＴＲＡＮ１０と共にネットワークを構成してもよい。ＥＰＣ２０は、ＭＭＥ（Ｍｏｂｉｌｉｔｙ  Ｍａｎａｇｅｍｅｎｔ  Ｅｎｔｉｔｙ）３００、ＳＧＷ（Ｓｅｒｖｉｎｇ  Ｇａｔｅｗａｙ）４００及びＰＧＷ（Ｐａｃｋｅｔ  Ｄａｔａ  Ｎｅｔｗｏｒｋ  Ｇａｔｅｗａｙ）５００を含む。
【００２４】
ＭＭＥ３００は、例えば、ＵＥ１００に対する各種モビリティ制御を行う。ＳＧＷ４００は、例えば、データの転送制御を行う。ＭＭＥ３００及びＳＧＷ４００は、Ｓ１インターフェイスを介してｅＮＢ２００と接続される。ＰＧＷ５００は、例えば、外部ネットワークから（及び外部ネットワークに）ユーザデータを中継する制御を行う。
【００２５】
図２は、ＬＴＥシステムにおける無線インターフェイスのプロトコルスタック図である。図２に示すように、無線インターフェイスプロトコルは、ＯＳＩ参照モデルの第１層乃至第３層に区分される。第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラ（ＭＡＣ  スケジューラ）を含む。スケジューラは、上下リンクのトランスポートフォーマット（トランスポートブロックサイズ、変調・符号化方式（ＭＣＳ：Ｍｏｄｕｌａｔｉｏｎ  ａｎｄ  Ｃｏｄｉｎｇ  Ｓｃｈｅｍｅ））及びＵＥ１００への割当リソースブロックを決定する。
【００２８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２９】
ＰＤＣＰ層は、ヘッダ圧縮・伸張、及び暗号化・復号化を行う。
【００３０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は、ＲＲＣコネクティッド状態である。ＵＥ１００のＲＲＣとｅＮＢ２００のＲＲＣとの間にＲＲＣ接続がない場合、ＵＥ１００は、ＲＲＣアイドル状態である。
【００３１】
ＲＲＣ層の上位に位置するＮＡＳ（Ｎｏｎ−Ａｃｃｅｓｓ  Ｓｔｒａｔｕｍ）層は、例えば、セッション管理及びモビリティ管理を行う。
【００３２】
図３は、ＬＴＥシステムで使用される無線フレームの構成図である。ＬＴＥシステムにおいて、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００３３】
図３に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数のリソースブロック（ＲＢ：Ｒｅｓｏｕｒｃｅ  Ｂｌｏｃｋ）を含む。各サブフレームは、時間方向に複数のシンボルを含む。各リソースブロックは、周波数方向に複数のサブキャリアを含む。１つのシンボル及び１つのサブキャリアにより、１つのリソースエレメント（ＲＥ：Ｒｅｓｏｕｒｃｅ  Ｅｌｅｍｅｎｔ）が構成される。ＵＥ１００には、無線リソース（時間・周波数リソース）が割り当てられる。周波数方向において、無線リソース（周波数リソース）は、リソースブロックにより構成される。時間方向において、無線リソース（時間リソース）は、サブフレーム（又はスロット）により構成される。
【００３４】
下りリンクにおいて、各サブフレームの先頭数シンボルの区間は、下りリンク制御信号を伝送するための物理下りリンク制御チャネル（ＰＤＣＣＨ：Ｐｈｙｓｉｃａｌ  Ｄｏｗｎｌｉｎｋ．  Ｃｏｎｔｒｏｌ  Ｃｈａｎｎｅｌ）として使用可能な領域である。各サブフレームの残りの部分は、下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として使用可能な領域である。
【００３５】
上りリンクにおいて、各サブフレームにおける周波数方向の両端部は、上りリンク制御信号を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として使用可能な領域である。各サブフレームにおける残りの部分は、上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として使用可能な領域である。
【００３６】
（無線端末）
実施形態に係るＵＥ１００（無線端末）について説明する。図４は、ＵＥ１００のブロック図である。図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００３７】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００３８】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１３０は、無線信号をアンテナから送信する。
【００３９】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号を行う。ＣＰＵは、メモリに記憶されるプログラムを実行することにより、各種の処理を行う。プロセッサは、音声・映像信号の符号化・復号を行うコーデックを含んでもよい。プロセッサは、後述する各種の処理及び上述した各種の通信プロトコルを実行する。
【００４０】
ＵＥ１００は、ＧＮＳＳ受信機を備えていてもよい。ＧＮＳＳ受信機は、ＵＥ１００の地理的な位置を示す位置情報を得るために、ＧＮＳＳ信号を受信できる。ＧＮＳＳ受信機は、ＧＮＳＳ信号をコントローラ１３０に出力する。ＵＥ１００は、ＵＥ１００の位置情報を取得するためのＧＰＳ機能を有していてもよい。
【００４１】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００４２】
（基地局）
実施形態に係るｅＮＢ２００（基地局）について説明する。図５は、ｅＮＢ２００のブロック図である。図５に示すように、ｅＮＢ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００４３】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００４４】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００４５】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号等を行う。ＣＰＵは、メモリに記憶されるプログラムを実行することにより各種の処理を行う。プロセッサは、後述する各種の処理及び上述した各種の通信プロトコルを実行する。
【００４６】
ネットワークインターフェイス２４０は、Ｘ２インターフェイスを介して隣接ｅＮＢ２００と接続される。ネットワークインターフェイス２４０は、Ｓ１インターフェイスを介してＭＭＥ３００及びＳＧＷ４００と接続される。ネットワークインターフェイス２４０は、例えば、Ｘ２インターフェイス上で行う通信及びＳ１インターフェイス上で行う通信に使用される。
【００４７】
本明細書では、ｅＮＢ２００が備えるトランスミッタ２１０、レシーバ２２０、コントローラ２３０、及びネットワークインターフェイス２４０の少なくともいずれかが実行する処理を、便宜上、ｅＮＢ２００が実行する処理（動作）として説明する。
【００４８】
（実施形態に係る動作）
実施形態に係る動作について、図６から図８を用いて説明する。図６は、実施形態に係る動作環境を説明するための図である。図７は、実施形態に係る動作を説明するためのシーケンス図である。図８は、実施形態に係る動作を説明するためのフローチャートである。
【００４９】
図６に示すように、ＵＥ１００は、ｅＮＢ２００−１が管理するセルに在圏している。ＵＥ１００は、ｅＮＢ２００−１と接続を確立していてもよい。すなわち、ＵＥ１００は、ＲＲＣ接続状態であってもよい。ＵＥ１００は、ｅＮＢ２００−１と接続を確立していなくてもよい。すなわち、ＵＥ１００は、ＲＲＣアイドル状態であってもよい。
【００５０】
ｅＮＢ２００−２は、ｅＮＢ２００−１に隣接するｅＮＢ２００−２が管理するセルは、ｅＮＢ２００−１が管理するセルに隣接する。ｅＮＢ２００−１及び／又はｅＮＢ２００−２が管理するセルは、スモールセルであってもよい。
【００５１】
図７に示すように、ステップＳ１０において、ｅＮＢ２００−１は、ＵＥ１００へ設定情報（Ｃｏｎｆｉｇｕｒａｔｉｏｎ）を送信してもよい。ＵＥ１００は、ｅＮＢ２００−１から設定情報を受信してもよい。
【００５２】
ｅＮＢ２００−１は、設定情報をブロードキャスト（例えば、ＳＩＢ：Ｓｙｓｔｅｍ  Ｉｎｆｏｒｍａｔｉｏｎ  Ｂｌｏｃｋ）により送信してもよい。ｅＮＢ２００−１は、設定情報をユニキャスト（例えば、ＲＲＣ接続再設定メッセージ）により送信してもよい。
【００５３】
設定情報は、ＵＥ１００が後述の報告を実行するための設定を含んでいてもよい。設定情報は、例えば、ステップＳ４０における報告をトリガするための条件を含んでいてもよい。例えば、設定情報は、後述する第１閾値の情報を含んでいてもよい。設定情報は、報告の送信が制限される期間を計測するためのタイマ情報を含んでいてもよい。
【００５４】
設定情報は、ハンドオーバのためのメジャメント設定の情報であってもよい。設定情報は、ハンドオーバのためのメジャメント設定と異なる情報であってもよい。
【００５５】
ＵＥ１００には、当該設定情報が予め記憶されていてもよい。ＵＥ１００は、ｅＮＢ２００−１から設定情報を受信しなくても、後述の動作を実行してもよい。
【００５６】
ステップＳ２０において、ＵＥ１００は、測定を実行する。ＵＥ１００は、ｅＮＢ２００−１からの設定情報に従って、測定を実行できる。
【００５７】
ＵＥ１００は、隣接セルからの受信信号の受信レベル（以下、ＮＣ受信レベル）を測定する。ＵＥ１００は、受信レベルとして、例えば、受信電力（ＲＳＲＰ：Ｒｅｆｅｒｅｎｃｅ  Ｓｉｇｎａｌ  Ｒｅｃｅｉｖｅｄ  Ｐｏｗｅｒ）及び／又は受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）を測定できる。ＵＥ１００は、サービングセルからの受信信号の受信レベル（以下、ＳＣ受信レベル）を測定してもよい。ＵＥ１００は、ハンドオーバのための測定結果を利用してもよい。
【００５８】
ステップＳ３０において、ＵＥ１００は、測定結果と第１閾値とを比較する。ＵＥ１００は、測定結果が第１閾値を超えるか否かを判定する。例えば、ＵＥ１００は、ＮＣ受信レベルが第１閾値を超えるか否かを判定してもよい。すなわち、ＵＥ１００は、「ＮＣ受信レベル＞第１閾値」が満たされるか否かを判定してもよい。ＵＥ１００は、「ＮＣ受信レベル−ＳＣ受信レベル」が第１閾値を超えるか否かを判定してもよい。すなわち、ＵＥ１００は、「ＮＣ受信レベル−ＳＣ受信レベル＞第１閾値」が満たされるか否かを判定してもよい。
【００５９】
第１閾値は、一定値であってもよい。第１閾値は、ＮＣ受信レベルと比較されるための値であってもよい。第１閾値は、相対受信レベルと比較するための値であってもよい。例えば、相対受信レベルは、「ＮＣ受信レベル−ＳＣ受信レベル」（相対受信レベルは、例えば、「ｄＢ」で表される）である。従って、ＵＥ１００は、「ＮＣ受信レベル−ＳＣ受信レベル」を第１閾値と比較できる。第１閾値は、一定値（例えば、−２ｄＢ）である。この場合、ＵＥ１００は、「「ＮＣ受信レベル−ＳＣ受信レベル」＞第１閾値」が満たされるか否かを判定する。ＵＥ１００は、ＮＣ受信レベルと第１閾値とを比較してもよい。ＮＣ受信レベルと比較される第１閾値は、「ＮＣ受信レベル−ＳＣ受信レベル」と比較される第１閾値とは異なる値である。
【００６０】
第１閾値は、メジャメント報告のトリガに用いられる閾値と同じ値であってもよいし、異なる値であってもよい。第１閾値は、メジャメント報告のトリガに用いられる閾値よりも小さい値（メジャメント報告を行う前にステップＳ４０の報告が行われるための値）であってもよい。
【００６１】
ＵＥ１００は、「測定結果＞第１閾値」が満たされる場合、ステップＳ４０の処理を実行する。ＵＥ１００は、「ＮＣ受信レベル＞第１閾値」が満たされない場合、ステップＳ４０の処理を実行しない。この場合、ＵＥ１００は、測定トリガが満たされた場合、ステップＳ２０の処理を実行してもよい。
【００６２】
ステップＳ４０において、ＵＥ１００は、報告をｅＮＢ２００−１へ送信する。ＵＥ１００は、隣接セルからの受信信号の測定結果に基づいて報告を送信する。
【００６３】
当該報告は、ハンドオーバのためのメジャメント報告であってもよい。当該報告は、メジャメント報告と異なってもよい。
【００６４】
報告は、ステップＳ２０における測定結果（例えば、ＲＳＲＰの範囲及び／又はＲＳＲＱの範囲）を含んでいてもよい。報告は、測定結果を含まなくてもよい。報告は、測定対象であるセルの識別子（Ｃｅｌｌ  ＩＤ、ＥＣＧＩ（Ｅ−ＵＴＲＡＮ  Ｃｅｌｌ  Ｇｌｏｂａｌ  Ｉｄｅｎｔｉｆｉｅｒ）など）を含んでいてもよい。ＵＥ１００は、ｅＮＢ２００−１のオペレータと異なる他のオペレータが運用する隣接セルの識別子を報告に含めてもよい。報告は、セルの識別子を含まなくてもよい。報告は、測定した周波数の情報を含んでいてもよい。報告は、測定した周波数の情報を含まなくてもよい。
【００６５】
ＵＥ１００は、報告の送信に基づいて、図８における処理を実行してもよい。
【００６６】
図８において、ＵＥ１００は、報告を送信した後、報告の送信が制限される期間を計測するためのタイマを起動する（ステップＳ４１、Ｓ４２）。当該タイマは、報告の送信が制限される期間（例えば、５分）を計測するためのタイマである。ＵＥ１００は、ｅＮＢ２００−１から受信したタイマ情報に基づくタイマを起動できる。
【００６７】
ＵＥ１００は、タイマが満了したか否かを判定する（ステップＳ４３）。ＵＥ１００は、報告するためのトリガ条件が満たされた場合に、タイマが満了したか否かを判定してもよい。ＵＥ１００は、タイマが満了していない場合、報告の送信を中止する。すなわち、ＵＥ１００は、報告の送信が制限される期間が満了するまで、報告の送信を中止する。これにより、ＵＥ１００は、報告を頻繁に行わなくて済むため、無線リソースの消費を抑制できる。ＵＥ１００の消費電力を低減できる。
【００６８】
ＵＥ１００は、タイマが満了していない場合、Ｓ２０における測定を中止してもよい。ＵＥ１００は、タイマが満了していない場合であっても、ハンドオーバのための測定結果を継続して利用してもよい。
【００６９】
ＵＥ１００は、タイマが満了した場合、報告の送信を再開できる（ステップＳ４４）。従って、ＵＥ１００は、タイマの満了後に、報告するためのトリガ条件が満たされた場合に、報告を送信できる。
【００７０】
ＵＥ１００は、ハンドオーバのためのメジャメント報告がトリガされた場合には、タイマが満了していなくても、メジャメント報告を送信してもよい。
【００７１】
図７において、ｅＮＢ２００−１は、報告を受信する。ｅＮＢ２００−１は、報告の受信に応じて、ステップＳ５０の処理を実行してもよい。
【００７２】
ステップＳ５０において、ｅＮＢ２００−１は、ＵＥ１００からの受信信号（上りリンク無線信号）の測定結果が閾値を超えるか否かを判定する。
【００７３】
ｅＮＢ２００−１は、ＵＥ１００からの受信信号の受信レベル（以下、ＵＥ受信レベル）が第２閾値を超えるか否かを判定する。すなわち、ｅＮＢ２００−１は、「ＵＥ受信レベル＞第２閾値」が満たされるか否かを判定する。
【００７４】
ＵＥ受信レベルは、例えば、ＵＥ１００からの受信信号（例えば、参照信号）の受信電力である。ＵＥ受信レベルは、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）であってもよい。ＵＥ１００からの受信信号は、ステップＳ４０における報告に用いられる無線信号であってもよい。
【００７５】
第２閾値は、ｅＮＢ２００−１がＵＥ１００からの無線信号の受信に成功するために必要であるＵＥ受信レベル（最低ＵＥ受信レベル）以上の値である。例えば、第２閾値は、ｅＮＢ２００−１とＵＥ１００との間の通信品質を確保できる値である。例えば、第２閾値は、ｅＮＢ２００−１とＵＥ１００との間で現在通信中のＭＣＳを維持するための最低信号レベル値である。第２閾値は、ＵＥ１００の伝送性能に影響を与えない値である。例えば、第２閾値は、−１００ｄＢｍであってもよい。第２閾値（ＳＩＮＲ）は、３ｄＢであってもよい。
【００７６】
ｅＮＢ２００−１は、ｅＮＢ２００−１において測定（算出）できるＵＥ受信レベルに基づいて判定できる。従って、ＵＥ１００からの報告が、ＵＥ１００において測定された測定結果を含まない場合であっても、ｅＮＢ２００−１は、ステップＳ５０における判定を実行できる。
【００７７】
ｅＮＢ２００−１は、ＵＥ受信レベルが第２閾値を超える場合、ステップＳ６０における処理を実行する。ｅＮＢ２００−１は、ＵＥ受信レベルが第２閾値以下である場合、処理を終了する。
【００７８】
ステップＳ６０において、ｅＮＢ２００−１は、電力制御情報をＵＥ１００へ送信する。ＵＥ１００は、電力制御情報を受信する。ｅＮＢ２００−１は、ユニキャストにより電力制御情報を送信する。
【００７９】
電力制御情報は、ＵＥ１００の送信電力を低減するための情報である。ｅＮＢ２００−１は、ＵＥ受信レベルと第２閾値との差に基づいて、電力制御情報の内容を決定する。例えば、ｅＮＢ２００−１は、ＵＥ１００の電力低減値を、ＵＥ受信レベルと第２閾値との差（例えば、５ｄＢ）よりも小さい値（＜５ｄＢ）に設定することができる。すなわち、ｅＮＢ２００−１は、電力制御を実行した後のＵＥ受信レベルが第２閾値未満にならないように電力制御情報の内容を決定する。
【００８０】
電力制御情報は、ＵＥ１００の送信電力を低減するためのＴＰＣ（Ｔｒａｎｓｍｉｓｓｉｏｎ  Ｐｏｗｅｒ  Ｃｏｎｔｒｏｌ）コマンドを含んでいてもよい。電力制御情報は、電力制御のためのパラメータ（例えば、目標受信電力レベルＰ０及びパスロス補正係数α）を含んでいてもよい。パラメータは、例えば、ＵＥに個別に適用されるＰ０（Ｐ０＿ＵＥ目標受信電力レベル［ｄＢｍ］）である。具体的には、パラメータは、ＵＥ１００に現在設定されているＰ０を低くするための値であってもよい。パラメータは、α（パスロス補正係数）であってもよい。具体的には、パラメータは、ＵＥ１００に現在設定されているαを低くするための値であってもよい。
【００８１】
例えば、ｅＮＢ２００−１は、ＵＥ１００の必要送信電力（値）を算出（調整）できる。ｅＮＢ２００−１は、算出結果に基づいて、パラメータ（Ｐ０及び／又はα）を決定できる。ｅＮＢ２００−１は、決定したパラメータを含む電力制御情報をＵＥ１００へ送信することができる。
【００８２】
ステップＳ７０において、ＵＥ１００は、電力制御情報に基づいて送信電力を制御する。例えば、ＵＥ１００は、電力制御情報に含まれるパラメータ（例えば、Ｐ０及び又はα）を送信電力の算出式に適用する。ＵＥ１００は、算出結果に基づく送信電力でｅＮＢ２００−１との通信を実行する。このように、ＵＥ１００には、現在の送信電力値よりも低い送信電力値が設定される。その結果、ＵＥ１００の送信電力（値）が低減される。
【００８３】
（変更例１）
実施形態に係る変更例１について、図９を用いて説明する。図９は、実施形態に係る変更例１を説明するためのシーケンス図である。
【００８４】
上述の電力制御情報を受信したＵＥ１００は、図９における処理を実行してもよい。
【００８５】
図９のステップＳ１１０は、Ｓ７０に対応する。ステップＳ１２０は、ステップＳ２０に対応する。
【００８６】
ステップＳ１３０において、ＵＥ１００は、測定結果と第３閾値とを比較する。例えば、ＵＥ１００は、ＮＣ受信レベルが第３閾値未満であるか否かを判定してもよい。すなわち、ＵＥ１００は、「ＮＣ受信レベル＜第３閾値」が満たされるか否かを判定してもよい。ＵＥ１００は、「ＮＣ受信レベル−ＳＣ受信レベル」が第３閾値未満であるか否かを判定してもよい。すなわち、ＵＥ１００は、「ＮＣ受信レベル−ＳＣ受信レベル＜第３閾値」が満たされるか否かを判定してもよい。
【００８７】
第３閾値は、一定値であってもよい。第３閾値は、ＮＣ受信レベルと比較されるための値であってもよい。第３閾値は、相対受信レベルと比較するための値であってもよい。
【００８８】
ＮＣ受信レベルと比較される第３閾値は、「ＮＣ受信レベル−ＳＣ受信レベル」と比較される第３閾値とは異なる値である。
【００８９】
第３閾値は、第１閾値と同じであってもよい。第３閾値は、第１閾値と異なってもよい。例えば、第３閾値が、「ＮＣ受信レベル−ＳＣ受信レベル（ＲＳＲＰ）」と比較される場合、第３閾値は、例えば、−３ｄＢより小さい値であってもよい。
【００９０】
ＵＥ１００は、「測定結果＜第３閾値」が満たされる場合、ステップＳ１４０の処理を実行できる。すなわち、ＵＥ１００は、ＵＥ１００からの無線信号が他のｅＮＢ（隣接セル）へ干渉を与えないと判定できた場合に、ステップＳ１４０の処理を実行できる。
【００９１】
ＵＥ１００は、「測定結果＜第３閾値」が満たされない場合、ステップＳ１４０の処理を実行しない。この場合、ＵＥ１００は、測定トリガが満たされた場合、ステップＳ１２０の処理を実行してもよい。
【００９２】
ステップＳ１４０において、ＵＥ１００は、中止情報をｅＮＢ２００−１へ送信する。
【００９３】
ｅＮＢ２００−１は、電力制御情報（ステップＳ６０における電力制御情報）に、ステップＳ５０における判定に基づく特別な電力制御情報であることを示す情報（例えば、インディケーション）を含めてもよい。ＵＥ１００は、インディケーションに基づいて、ステップＳ５０における判定に基づく電力制御情報である場合にのみ、中止情報をｅＮＢ２００へ送信してもよい。ＵＥ１００は、インディケーションに基づいて、ステップＳ１３０（及び／又はステップＳ１２０）における動作を実行してもよい。
【００９４】
中止情報は、ＵＥ１００が電力制御情報に基づく送信電力の制御を中止するための情報である。例えば、中止情報は、ＵＥ１００がステップＳ６０における電力制御情報（すなわち、ステップＳ１５０における判定）に基づく送信電力の制御の中止を要求するための情報であってもよい。中止情報は、ステップＳ１３０における測定結果であってもよい。中止情報は、ステップＳ４０における報告と同様の情報であってもよい。
【００９５】
ｅＮＢ２００−１は、中止情報を受信する。ｅＮＢ２００−１は、中止情報の受信に応じて、ｅＮＢ２００−１は、ＵＥ１００の送信電力（値）を正常に戻すための制御を実行できる。ｅＮＢ２００−１は、ＵＥ１００の必要送信電力を算出（調整）していた場合、正常な値に戻すためのパラメータ（目標受信電力レベルＰ０及び／又はパスロス補正係数α）を電力制御情報に含めてもよい。ｅＮＢ２００−１は、正常な値に戻すためのＵＥ１００の必要送信電力（値）を算出してもよい。ｅＮＢ２００−１は、算出結果に基づいて、パラメータ（Ｐ０及び／又はα）を決定してもよい。
【００９６】
ステップＳ１５０において、ｅＮＢ２００−１は、決定したパラメータを含む電力制御情報をＵＥ１００へ送信することができる。
【００９７】
ステップＳ１６０において、ＵＥ１００は、電力制御情報に基づいて送信電力を制御する。具体的には、ＵＥ１００は、送信電力値を正常値に戻すための制御を実行できる。
【００９８】
以上により、ｅＮＢ２００−１は、報告を送信したＵＥ１００のＵＥ受信レベルが第２閾値を越える場合、送信電力を低減するための電力制御情報をＵＥ１００へ送信する。ＵＥ１００は、電力制御情報に基づいて、送信電力を制御する。これにより、ＵＥ１００からｅＮＢ２００−１への通信品質が良好である場合に、ｅＮＢ２００−１は、他のｅＮＢ（例えば、ｅＮＢ２００−２）から干渉制御情報を受信しなくても、他のｅＮＢへ干渉を与える虞のあるＵＥ１００の送信電力を低減できる。隣接セルへ干渉を与える可能性のあるＵＥ１００にのみ電力制御情報を送ることができる。その結果、セル間で複雑な制御が実行されない場合であっても、セル間干渉を低減できる。
【００９９】
ＵＥ１００は、測定結果が閾値未満である場合、送信電力の制御の中止情報をｅＮＢ２００−１に通知する。これにより、ＵＥ１００は、干渉を隣接セルへ与えない場合には、通常の送信電力で上りリンク信号を送信できる。
【０１００】
（変更例２）
実施形態の変更例２に係る動作について、図１０を用いて説明する。図１０は、実施形態の変更例２を説明するためのシーケンス図である。上述と同様の部分は、説明を適宜省略する。
【０１０１】
図１０において、ステップＳ２１０からＳ２４０は、ステップＳ１０からＳ４０に対応する。
【０１０２】
ステップＳ２５０において、ｅＮＢ２００−１は、ｅＮＢ２００−２から干渉制御情報を受信してもよい。干渉制御情報は、例えば、ＵＬ干渉過負荷インディケーション（ＵＬ  Ｉｎｔｅｒｆｅｒｅｎｃｅ  Ｏｖｅｒｌｏａｄ  Ｉｎｄｉｃａｔｉｏｎ）を含んでいてもよい。ＵＬ干渉過負荷インディケーションは、物理リソースブロック（ＰＲＢ：Ｐｈｙｓｉｃａｌ  Ｒｅｓｏｕｒｃｅ  Ｂｌｏｃｋ）毎に干渉過負荷の報告を提供する。
【０１０３】
ｅＮＢ２００−１は、干渉制御情報をｅＮＢ２００−２へ送信してもよい。ｅＮＢ２００−１は、ｅＮＢ２００−２と干渉制御情報を交換してもよい。ｅＮＢ２００−１は、干渉制御情報の受信に応じて、ステップＳ２６０の処理を実行できる。ｅＮＢ２００−１は、干渉制御情報の受信に応じて、ステップＳ２６０の処理を省略し、ステップＳ２７０の処理を実行してもよい。
【０１０４】
ステップＳ２６０において、ｅＮＢ２００−１は、干渉制御情報から、他のｅＮＢ（ｅＮＢ２００−２）が干渉を受けたか否かを判定する。ｅＮＢ２００−１は、干渉制御情報から、他のｅＮＢ（ｅＮＢ２００−２）が干渉を受けていないと判定した場合、処理を終了する。ｅＮＢ２００−１は、他のｅＮＢが干渉を受けたと判定した場合にのみ、ステップＳ２７０の処理を実行してもよい。
【０１０５】
ｅＮＢ２００−１は、干渉制御情報に基づいて、ステップＳ２７０の判定対象を決定してもよい。例えば、ｅＮＢ２００−１は、ＵＥ１００の報告（ステップＳ２４０における報告）に含まれるセル識別子が、干渉制御情報の送信元のｅＮＢ２００−２が管理するセル（隣接セル）を示す場合、当該報告の送信元のＵＥ１００を判定対象に決定してもよい。
【０１０６】
ｅＮＢ２００−１は、報告に含まれる周波数の情報が、ｅＮＢ２００−２が干渉を受けている周波数を示す場合、当該報告の送信元のＵＥ１００を判定対象に決定してもよい。
【０１０７】
ｅＮＢ２００−１は、干渉情報によって干渉を受けている無線リソース（時間リソース（例えば、サブフレーム）／周波数リソース（例えば、物理リソースブロック））を使用したＵＥ１００が、報告を送信していた場合、当該ＵＥ１００を判定対象に決定してもよい。
【０１０８】
ステップＳ２７０からＳ２９０は、ステップＳ５０からＳ７０に対応する。ステップＳ２８０において、ｅＮＢ２００−１は、ＵＥ１００の報告に含まれるセル識別子が干渉制御情報の送信元のｅＮＢ２００−１が管理するセルを示さない場合には、当該ＵＥ１００への電力制御情報の送信を中止してもよい。同様に、ｅＮＢ２００−１は、ＵＥ１００の報告に含まれる周波数の情報が干渉制御情報の送信元のｅＮＢ２００−１が運用する周波数を示さない場合には、当該ＵＥ１００への電力制御情報の送信を中止してもよい。
【０１０９】
以上により、ｅＮＢ２００−１は、自セル内のＵＥ１００が他のｅＮＢに干渉を与えていると判定できた場合に、送信電力制御を実行してもよい。これにより、自セル内のＵＥ１００が他のｅＮＢに干渉を与えていないにもかかわらず、送信電力制御を実行すること抑制できる。
【０１１０】
［その他の実施形態］
上述した実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１１１】
上述において、ＵＥ１００は、図８における処理を実行しなくてもよい。従って、ＵＥ１００は、報告の送信がトリガされる度に、報告を送信してもよい。これにより、送信電力制御の精度を高くすることができる。
【０１１２】
上述において、ｅＮＢ２００−１は、電力制御情報としてＤＣＩ（Ｄｏｗｎｌｉｎｋ  Ｃｏｎｔｒｏｌ  Ｉｎｆｏｒｍａｔｉｏｎ）をＵＥ１００へ送信してもよい。例えば、ｅＮＢ２００−１は、ＴＰＣコマンドをユニキャスト用のＤＣＩフォーマット（ＰＵＳＣＨ用のＤＣＩフォーマット０／４、ＰＵＣＣＨ用のＤＣＩフォーマット１系／２系）を用いてＵＥ１００へ送信できる。ｅＮＢ２００−１は、ＴＰＣコマンドをグループキャスト用のＤＣＩフォーマット（ＤＣＩフォーマット３／３Ａ）を用いて（複数の）ＵＥ１００へ送信してもよい。これにより、ｅＮＢ２００−１は、グループを構成する複数のＵＥ１００の全てのＵＥ受信レベルが第２閾値を超える場合、複数のＵＥ１００の送信電力を一括して制御することができる。
【０１１３】
上述において、ＵＥ１００は、ステップＳ３０の判定に基づいて、Ｓ４０における報告（すなわち、Ｓ５０における判定）に基づく電力制御を自律的に中止してもよい。すなわち、ＵＥ１００は、ｅＮＢ２００−１からの指示（ステップＳ１５０における電力制御情報）なく、当該電力制御を中止してもよい。
【０１１４】
例えば、ＵＥ１００は、特別な電力制御情報であることを示す情報（インディケーション）を含む電力制御情報を受信した場合に、当該電力制御情報を受信する前の電力設定（上述のパラメータ）を記憶していてもよい。ＵＥ１００は、ステップＳ１３０における条件（測定結果＜第３閾値）が満たされた場合、記憶された電力設定に基づいて、送信電力値を正常値に戻すための制御を実行してもよい。
【０１１５】
ＵＥ１００は、送信電力値を正常値に戻すことを示す（すなわち、特別な電力制御情報に基づく送信電力制御を中止したことを示す）中止情報をｅＮＢ２００−１へ送信してもよい。ＵＥ１００は、中止情報を送信した後に、送信電力値を正常値に戻すための制御を実行してもよい。ｅＮＢ２００−１は、中止情報に基づいて、ＵＥ１００が特別な電力制御情報に基づく送信電力制御を中止したと把握できる。
【０１１６】
中止情報は、上述の報告に含まれる情報（例えば、測定結果、セル識別子など）を含んでいてもよい。ｅＮＢ２００−１は、中止情報に含まれる情報に基づいて、ＵＥ１００の送信電力制御方法（例えば、調整するパラメータの決定）を判定してもよい。
【０１１７】
上述した各実施形態に係る動作は、適宜組み合わせて実行されてもよい。上述した各シーケンスにおいて、必ずしも全ての動作が必須の構成ではない。例えば、各シーケンスにおいて、一部の動作のみが実行されてもよい。
【０１１８】
上述した各実施形態では特に触れていないが、上述した各ノード（ＵＥ１００、ｅＮＢ２００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１９】
ＵＥ１００、及びｅＮＢ２００のいずれかが行う各処理を実行するためのプログラムを記憶するメモリ及びメモリに記憶されたプログラムを実行するプロセッサ）によって構成されるチップが提供されてもよい。
【０１２０】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１２１】
日本国特許出願第２０１６−０９３９８０号（２０１６年５月９日出願）の全内容が、参照により、本願明細書に組み込まれている。
【図１】
0006766141.tif 000002
【図２】
0006766141.tif 000003
【図３】
0006766141.tif 000004
【図４】
0006766141.tif 000005
【図５】
0006766141.tif 000006
【図６】
0006766141.tif 000007
【図７】
0006766141.tif 000008
【図８】
0006766141.tif 000009
【図９】
0006766141.tif 000010
【図１０】
0006766141.tif 000011